(57)【特許請求の範囲】
【請求項１】
面材の上下に配置される横框と、前記面材の左右に配置される縦框とを有し、前記縦框に形成された貫通口に挿入されたビスを前記横框に設けられたビス固定部に螺合して形成される障子と、当該障子が取り付けられる枠体とを有した建具であって、
前記縦框と前記横框は当該框同士を連結した際に、前記縦框の端部と前記横框の端部とが互いに突き合わされて框間で同一平面を形成する面一側面をそれぞれ有しており、
前記縦框と前記横框とのうちの一方の框の前記面一側面の端部に、前記ビスを螺合するときに外部から視認可能な位置にて他方の框の前記面一側面の端部と突き合わされて係合する凸部が設けられており、
前記縦框と前記横框との各連結部において、前記面一側面は、前記框の見込み方向一方側寄りに設けられ、前記貫通口及び前記ビス固定部は、前記框の見込み方向他方側寄りのみに設けられ、前記横框と前記縦框との各連結部が１本の前記ビスで固定され、
前記ビスを螺合する際に、前記ビスが締め込まれる正転方向及び前記ビスが緩められる反転方向への、前記凸部の移動が、前記他方の框により規制されることにより、前記縦框と前記横框との相対回転が規制されることを特徴とする建具。
【請求項２】
請求項１に記載の建具であって、
前記他方の框には、前記凸部が入り込む凹部が設けられていることを特徴とする建具。
【発明の詳細な説明】
【技術分野】
【０００１】
本発明は、面材の上下に配置される横框と、前記面材の左右に配置される縦框とが、ビスが螺合されることにより形成される障子と、この障子が取り付けられる枠体とを有する建具に関する。
【背景技術】
【０００２】
従来から、面材としてのガラスの上下に配置される横框と、ガラスの左右に配置される縦框とを方形状に組み立てた障子と、障子が取り付けられる枠体とを有した建具が知られている。このような建具は、障子の縦框と横框とがビスにて固定されている（例えば、特許文献１参照）。このとき、各框の断面積は比較的小さいうえに、各框内にはガラスの周縁部が入り込んでいるため、１本のビスで固定される場合が多く、また、ビスにて固定される位置は、框内の室内側又は室外側のいずれかに偏らせて配置されることがある。
【特許文献１】特開２００４−２０４６０８号公報
【発明の開示】
【発明が解決しようとする課題】
【０００３】
しかしながら、上記従来の建具は、縦框と横框とを１本のビスを締め込んで固定する際や、ビスが自らねじ溝を切って螺合する、所謂セルフタップのビスにて縦框と横框とを固定する際には、ビスと共に横框が回転し縦框と横框との突き合わせ部分に隙間が生じてしまう場合がある。このため、一旦締め込んだビスを緩めて、隙間を無くした後にビスを締め直すなどの煩雑な作業を余儀なくされる畏れがあるという課題があった。
【０００４】
本発明は、かかる課題に鑑みてなされたものであり、その目的とするところは、縦框と横框とを１本のビスを締め込んで固定する際に、縦框と横框との突き合わせ部分に隙間が生じ難い障子を有する建具を提供することにある。
【課題を解決するための手段】
【０００５】
面材の上下に配置される横框と、前記面材の左右に配置される縦框とを有し、前記縦框に形成された貫通口に挿入されたビスを前記横框に設けられたビス固定部に螺合して形成される障子と、当該障子が取り付けられる枠体とを有した建具であって、前記縦框と前記横框は当該框同士を連結した際に、前記縦框の端部と前記横框の端部とが互いに突き合わされて框間で同一平面を形成する面一側面をそれぞれ有しており、前記縦框と前記横框とのうちの一方の框の前記面一側面の端部に、前記ビスを螺合するときに外部から視認可能な位置にて他方の框の前記面一側面の端部と突き合わされて係合する凸部が設けられており、前記縦框と前記横框との各連結部において、前記面一側面は、前記框の見込み方向一方側寄りに設けられ、前記貫通口及び前記ビス固定部は、前記框の見込み方向他方側寄りのみに設けられ、前記横框と前記縦框との各連結部が１本の前記ビスで固定され、前記ビスを螺合する際に、前記ビスが締め込まれる正転方向及び前記ビスが緩められる反転方向への、前記凸部の移動が、前記他方の框により規制されることにより、前記縦框と前記横框との相対回転が規制されることを特徴とする建具である。
【０００６】
このような建具によれば、縦框と横框とのうちの一方の框に、他方の框と係合して框間の相対回転を規制する凸部が設けられているので、ビスの螺合による框間の相対回転を規制しつつ障子を組み立てることが可能である。また、框間の相対回転を規制する凸部は、ビスを螺合する際に外部から視認可能な位置に設けられているので、縦框と横框とをビスにて固定する際に、一方の框に設けられた凸部が他方の框と係合していることを目視しつつビスを螺合することが可能である。このため、凸部が係合している状態を維持しつつ縦框と横框とが接合されるので、縦框と横框との突き合わせ部分に隙間が生じることを抑えることが可能である。よって、縦框と横框との突き合わせ部分に隙間が生じ難い建具を実現することが可能である。
【０００８】
また、框間の相対回転は、ビスが挿入される貫通穴やビス固定部に対して框の見込み方向反対側に設けられた凸部によって規制されるので、ビスを締め込むことにより生じる回転モーメントによる框間の相対回転を効率よく抑制することが可能である。
【０００９】
かかる建具であって、前記他方の框には、前記凸部が入り込む凹部が設けられていることが望ましい。  
このような建具によれば、一方の框に設けられた凸部は、他方の框に設けられた凹部に入り込むので、凸部と凹部とを確実に係合させて框間の相対回転を抑制することが可能である。
【発明の効果】
【００１０】
本発明によれば、縦框と横框とを１本のビスを締め込んで固定する際に、縦框と横框との突き合わせ部分に隙間が生じ難い建具を提供することができるという効果がある。
【発明を実施するための最良の形態】
【００１１】
以下、本発明の一実施形態に係る建具として、建物の開口に取り付けられた枠体に障子を固定した、所謂嵌め殺しタイプの建具について図面を参照して説明する。以下の説明においては、建具を室内側から見たときに上下となる方向を上下方向、左右となる方向を左右方向または見付け方向、奥行き方向を見込み方向として示す。
【００１２】
図１は、本実施形態の建具を示す縦断面図である。図２は、本実施形態の建具を示す横断面図である。  
図示するように、本実施形態の建具１０は、建物の開口に取り付けられる枠体１１と、枠体１１に固定される障子２０とを有している。  
枠体１１は、上枠１２と下枠１３と左右の縦枠１４で矩形状に形成されており、障子２０は枠体１１の内側にて、室外側に偏らせて取り付けられている。上枠１２と下枠１３と左右の縦枠１４とはいずれもアルミニウム製の押出成形部材である。
【００１３】
上枠１２と下枠１３と左右の縦枠１４は、いずれも見込み方向に沿って形成された平壁部１２ａ、１３ａ、１４ａを有し、各平壁部１２ａ、１３ａ、１４ａから窓の中央方向（内方）に向かって突出された突出壁１２ｂ、１３ｂ、１４ｂが、室内側に偏らせて設けられている。  
上枠１２、下枠１３、左右の縦枠１４にそれぞれ設けられた突出壁１２ｂ、１３ｂ、１４ｂは、見込み方向において同一位置に形成されて、枠体１１に沿って周方向に繋がった同一の平面を形成している。各突出壁１２ｂ、１３ｂ、１４ｂの内方側の端部には、室外側面にシール部材１５が、周方向に繋がるように設けられている。
【００１４】
図３は、障子の構成を説明するための図である。  
障子２０は、矩形状に形成される框体２２と、框体２２の内側に周縁部が挟持される面材としての複層のガラス１８とを有している。ガラス１８は、框体２２との間に、室内側と室外側とにそれぞれガスケット３４（図１）を介して装着されている。障子２０は、框体２２にガラス１８が装着された状態で、框体２２が枠体１１に固定される。
【００１５】
框体２２は、上框２４、下框２６、左縦框２８、右縦框３０を矩形状に配置してビスにより固定して形成されている。上框２４、下框２６、左縦框２８、右縦框３０はいずれもアルミニウム製の押出成形部材である。そして、左縦框２８及び右縦框３０には、上框固定用及び下框固定用のビス３２が貫通される貫通穴２８ｅ、３０ｅが設けられている。一方、上框２４と下框２６とには、長手方向の両端に、左縦框２８、右縦框３０の貫通穴２８ｅ、３０ｅを貫通されたビス３２が螺合されるビス固定部２４ｅ、２６ｅが形成されている。このとき、ガラス１８は、框体２２において室内側に偏らせて配置されるため、ビス固定部２４ｅ、２６ｅは上框２４と下框２６においてガラス１８とは見込み方向において反対側の室外側に偏らせて配置されている。本実施形態の框体２２は、上下の横框２４、２６と左右の縦框２８、３０との接合部において各々１本のビス３２にて固定されている。
【００１６】
上框２４は、上方に配置されてほぼ水平な面を有する上面部２４ａと、上面部２４ａの室内側端部から鉛直方向に垂下された上室内側壁部２４ｂ（面一側面）と、上面部の室外側端部から鉛直方向に垂下された上室外側壁部２４ｃと、上室外側壁部２４ｃから延出され下方に向かうにつれて室内側に近づくように傾斜した上傾斜壁部２４ｄとを有している。上室内側壁部２４ｂの下端と上傾斜壁部２４ｄの下端とは、上下方向においてほぼ同じ位置まで延出されており、見込み方向に間隔を隔てて配置される。
【００１７】
そして、上面部２４ａ、上室内側壁部２４ｂ、上室外側壁部２４ｃ、上傾斜壁部２４ｄの内側には、上室内側壁部２４ｂの下端と上傾斜壁部２４ｄの下端の間が長手方向に沿って下方側に開放された空間が形成されている。上框２４内の空間には、上室内側壁部２４ｂと上傾斜壁部２４ｄとの間から挿入されたガラス１８の周縁部がガスケット３４を介して保持されている。また、上傾斜壁部２４ｄの内面側には、長手方向に亘ってビス固定部２４ｅが設けられている。このビス固定部２４ｅには、上框２４の両端に左縦框２８、右縦框３０を固定するためのビス３２が螺合される。このため、上框２４の室内側にはガラス１８が設けられ、室外側にはビス固定部２４ｅが形成されている。また、上框２４の上室内側壁部２４ｂと上室外側壁部２４ｃとは、長手方向の両端部において見付け方向と直交する線に沿って直線状に切断され、上傾斜壁部２４ｄは、端部から中央側に向かって４５°の角度にて切断されている。
【００１８】
下框２６は、下方に配置されてほぼ水平な面を有する下面部２６ａと、下面部２６ａの室内側端部から鉛直方向に立設された下室内側壁部２６ｂ（面一側面）と、下面部の室外側端部から鉛直方向に立設された下室外側壁部２６ｃと、下室外側壁部２６ｃから延出され上方に向かうにつれて室内側に近づくように傾斜した下傾斜壁部２６ｄとを有している。下室内側壁部２６ｂの上端と下傾斜壁部２６ｄの上端とは、上下方向においてほぼ同じ位置まで延出されており、見込み方向に間隔を隔てて配置される。
【００１９】
そして、下面部２６ａ、下室内側壁部２６ｂ、下室外側壁部２６ｃ、下傾斜壁部２６ｄの内側には、下室内側壁部２６ｂの上端と下傾斜壁部２６ｄの上端の間が長手方向に沿って上方側に開放された空間が形成されている。下框２６内の空間には、下室内側壁部２６ｂと下傾斜壁部２６ｄとの間から挿入されたガラス１８の周縁部がガスケット３４を介して保持されている。また、下傾斜壁部２６ｄの内面側には、長手方向に亘ってビス固定部２６ｅが設けられている。このビス固定部２６ｅには、下框２６の両端に左縦框２８、右縦框３０を固定するためのビス３２が螺合される。また、下框２６の下室内側壁部２６ｂと下室外側壁部２６ｃとは、長手方向の両端部において見付け方向と直交する線に沿って直線状に切断され、下傾斜壁部２６ｄは、端部から中央側に向かって４５°の角度にて切断されている。
【００２０】
左縦框２８は、左側に配置されて見込み方向に沿った鉛直平面を有する左側面部２８ａと、左側面部２８ａの室内側端部から左側面部２８ａとほぼ直角をなすように形成された左室内側壁部２８ｂ（面一側面）と、左側面部２８ａの室外側端部から左側面部２８ａとほぼ直角をなすように形成された左室外側壁部２８ｃと、左室外側壁部２８ｃから延出され右側に向かうにつれて室内側に近づくように傾斜した左傾斜壁部２８ｄとを有している。左室内側壁部２８ｂの右端と左傾斜壁部２８ｄの右端とは、左右方向においてほぼ同じ位置まで延出されており、見込み方向に間隔を隔てて配置される。
【００２１】
そして、左側面部２８ａ、左室内側壁部２８ｂ、左室外側壁部２８ｃ、左傾斜壁部２８ｄの内側には、左室内側壁部２８ｂの右端と左傾斜壁部２８ｄの右端の間が長手方向に沿って右側に開放された空間が形成されている。左縦框２８内の空間には、左室内側壁部２８ｂと左傾斜壁部２８ｄとの間から挿入されたガラス１８の周縁部がガスケット３４を介して保持されている。また、左側面部２８ａの見込み方向室外側寄りには、左縦框２８と上框２４と、及び、左縦框２８と下框２６と、が突き合わされた際に、上框２４のビス固定部２４ｅ及び下框２６のビス固定部２６ｅが当接される位置に上框２４、下框２６を固定するためのビス３２が貫通される貫通穴２８ｅが設けられている。
【００２２】
図４は、左縦框と上框との接合部を説明するための図３におけるＡ矢視図である。図５は、図４のＢ矢視図である。
【００２３】
左縦框２８の左室内側壁部２８ｂ（面一側面）には、上側に配置される端部に矩形の左上切欠部２８ｆが、下側に配置される端部に矩形の左下切欠部２８ｇが形成されている。左上切欠部２８ｆには、上框２４の上室内側壁部２４ｂが入り込んで、上室内側壁部２４ｂ（面一側面）の水平縁部２４ｆと左上切欠部２８ｆの水平縁部２８ｈとが突き合わされ、上室内側壁部２４ｂの鉛直縁部２４ｇと左上切欠部２８ｆの鉛直縁部２８ｉとが突き合わされる。このとき、上室内側壁部２４ｂの鉛直縁部２４ｇには見付け方向に三角形状に凹設された係合凹部２４ｈが設けられており、鉛直縁部２４ｇと突き合わされる左上切欠部２８ｆの鉛直縁部２８ｉには、係合凹部２４ｈと係合する係合凸部２８ｍが設けられている。このため、上框２４と左縦框２８とを接合する際には、係合凹部２４ｈと係合凸部２８ｍとを係合させて、貫通穴２８ｅを貫通したビス３２をビス固定部２４ｅに螺合する。このとき、ビス３２の回転により上框２４にはビス３２を中心として回転方向に力が作用するが、係合凹部２４ｈと係合凸部２８ｍが係合しているため、左縦框２８と上框２４との間の相対回転が規制され、上框２４と左縦框２８とは両者の間に間隙が生じることなく位置決めされた状態にて接合される。
【００２４】
また、左下切欠部２８ｇには、下框２６の下室内側壁部２６ｂ（面一側面）が入り込んで、下室内側壁部２６ｂの水平縁部２６ｆと左下切欠部２８ｇの水平縁部２８ｊとが突き合わされ、下室内側壁部２６ｂの鉛直縁部２６ｇと左下切欠部２８ｇの鉛直縁部２８ｋとが突き合わされる。このとき、下室内側壁部２６ｂの鉛直縁部２６ｇには見付け方向に三角形状に凹設された係合凹部２６ｈが設けられており、鉛直縁部２６ｇと突き合わされる左下切欠部２８ｇの鉛直縁部２８ｋには、係合凹部２６ｈと係合する係合凸部２８ｎが設けられている。このため、下框２６と左縦框２８とを接合する際には、係合凹部２６ｈと係合凸部２８ｎとを係合させて、貫通穴２８ｅを貫通したビス３２をビス固定部２６ｅに螺合する。このとき、ビス３２の回転により下框２６にはビス３２を中心として回転方向に力が作用するが、係合凹部２６ｈと係合凸部２８ｎが係合しているため、左縦框２８と上框２６との間の相対回転が規制され、下框２６と左縦框２８とは両者の間に間隙が生じることなく位置決めされた状態にて接合される。
【００２５】
右縦框３０は、右側に配置されて見込み方向に沿った鉛直平面を有する右側面部３０ａと、右側面部３０ａの室内側端部から右側面部３０ａとほぼ直角をなすように形成された右室内側壁部３０ｂ（面一側面）と、右側面部３０ａの室外側端部から右側面部３０ａとほぼ直角をなすように形成された右室外側壁部３０ｃと、右室外側壁部３０ｃから延出され左側に向かうにつれて室内側に近づくように傾斜した右傾斜壁部３０ｄとを有している。右室内側壁部３０ｂの左端と右傾斜壁部３０ｄの左端とは、左右方向においてほぼ同じ位置まで延出されており、見込み方向に間隔を隔てて配置される。
【００２６】
そして、右側面部３０ａ、右室内側壁部３０ｂ、右室外側壁部３０ｃ、右傾斜壁部３０ｄの内側には、右室内側壁部３０ｂの右左と右傾斜壁部３０ｄの左端の間が長手方向に沿って左側に開放された空間が形成されている。右縦框３０内の空間には、右室内側壁部３０ｂと右傾斜壁部３０ｄとの間から挿入されたガラス１８の周縁部がガスケット３４を介して保持されている。また、右側面部３０ａの見込み方向室外側寄りには、右縦框３０と上框２４と、及び、右縦框３０と下框２６と、が突き合わされた際に、上框２４のビス固定部２４ｅ及び下框２６のビス固定部２６ｅが当接される位置に上框２４、下框２６を固定するためのビス３２が貫通される貫通穴３０ｅが設けられている。
【００２７】
右縦框３０の右室内側壁部３０ｂには、上側に配置される端部に矩形の右上切欠部３０ｆが、下側に配置される端部に矩形の右下切欠部３０ｇが形成されている。右上切欠部３０ｆには、上框２４の上室内側壁部２４ｂ（面一側面）が入り込んで、上室内側壁部２４ｂの水平縁部２４ｉと右上切欠部３０ｆの水平縁部３０ｈとが突き合わされ、上室内側壁部２４ｂの鉛直縁部２４ｋと右上切欠部３０ｆの鉛直縁部３０ｉとが突き合わされる。このとき、上室内側壁部２４ｂの鉛直縁部２４ｋには見付け方向に凹設された係合凹部２４ｍが設けられており、鉛直縁部２４ｋと突き合わされる右上切欠部３０ｆの鉛直縁部３０ｉには、係合凹部２４ｍと係合する係合凸部３０ｍが突設されている。このため、上框２４と右縦框３０とを接合する際には、係合凹部２４ｍと係合凸部３０ｍとを係合させて、貫通穴３０ｅを貫通したビス３２をビス固定部２４ｅに螺合する。このとき、ビス３２の回転により上框２４にはビス３２を中心として回転方向に力が作用するが、係合凹部２４ｍと係合凸部３０ｍが係合しているため、上框２４と右縦框３０との間の相対回転が規制され、上框２４と右縦框３０とは両者の間に間隙が生じることなく位置決めされた状態にて接合される。
【００２８】
また、右下切欠部３０ｇには、下框２６の下室内側壁部２６ｂ（面一側面）が入り込んで、下室内側壁部２６ｂの水平縁部２６ｉと右下切欠部３０ｇの水平縁部３０ｊとが突き合わされ、下室内側壁部２６ｂの鉛直縁部２６ｋと右下切欠部３０ｇの鉛直縁部３０ｋとが突き合わされる。このとき、下室内側壁部２６ｂの鉛直縁部２６ｋには見付け方向に凹設された係合凹部２６ｍが設けられており、鉛直縁部２６ｋと突き合わされる右下切欠部３０ｇの鉛直縁部３０ｋには、係合凹部２６ｍと係合する係合凸部３０ｎが突設されている。このため、下框２６と右縦框３０とを接合する際には、係合凹部２６ｍと係合凸部３０ｎとを係合させて、貫通穴３０ｅを貫通したビス３２をビス固定部２６ｅに螺合する。このとき、ビス３２の回転により下框２６にはビス３２を中心として回転方向に力が作用するが、係合凹部２６ｍと係合凸部３０ｎが係合しているため、下框２６と右縦框３０との間の相対回転が規制され、下框２６と右縦框３０とは両者の間に間隙が生じることなく位置決めされた状態にて接合される。
【００２９】
本実施形態の障子２０によれば、左右の縦框２８、３０にそれぞれ、上下の横框２４、２６に設けられた係合凹部２４ｈ、２４ｍ、２６ｈ、２６ｍと係合して框間の相対回転を規制する係合凸部２８ｍ、２８ｎ、３０ｍ、３０ｎが設けられている。このため、係合凸部２８ｍ、２８ｎ、３０ｍ、３０ｎを係合凹部２４ｈ、２４ｍ、２６ｈ、２６ｍに入り込ませることにより、係合凸部２８ｍ、２８ｎ、３０ｍ、３０ｎと係合凹部２４ｈ、２４ｍ、２６ｈ、２６ｍとを確実に係合させて左右の縦框２８、３０と上下の横框２４、２６間の相対回転を抑制することが可能である。よって、左右の縦框２８、３０と上下の横框２４、２６との突き合わせ部分に隙間が生じ難い障子２０を実現することが可能である。
【００３０】
このとき、左右の縦框２８、３０と上下の横框２４、２６との相対回転は、ビス３２が挿入される貫通穴２８ｅ、３０ｅやビス固定部２４ｅに対して框の見込み方向反対側に設けられた係合凸部２８ｍ、２８ｎ、３０ｍ、３０ｎによって規制されるので、ビス３２を締め込むことにより生じる回転モーメントによる框間の相対回転を効果的に抑制することが可能である。
【００３１】
また、係合凹部２４ｈ、２４ｍ、２６ｈ、２６ｍと係合凸部２８ｍ、２８ｎ、３０ｍ、３０ｎとが外部から視認可能な左室内側壁部２８ｂ及び右室内側壁部３０ｂに設けられているので、左縦框２８と上下の横框２４，２６とをビス３２にて固定する際には、係合凹部２４ｈ、２４ｍ、２６ｈ、２６ｍと係合凸部２８ｍ、２８ｎ、３０ｍ、３０ｎとが係合していることを確認しつつ障子２０を組み立てることが可能である。このため、左右の縦框２８、３０と上下の横框２４、２６との突き合わせ部分に隙間が生じ難い障子２０をより確実に実現することが可能である。
【００３２】
さらに、係合凹部２４ｈ、２４ｍ、２６ｈ、２６ｍと係合凸部２８ｍ、２８ｎ、３０ｍ、３０ｎとが視認可能な位置に設けられているが、係合凹部２４ｈ、２４ｍ、２６ｈ、２６ｍが設けられている上室内側壁部２４ｂ（面一側面）、下室内側壁部２６ｂ（面一側面）と係合凸部２８ｍ、２８ｎ、３０ｍ、３０ｎが設けられている左室内側壁部２８ｂ（面一側面）、右室内側壁部３０ｂ（面一側面）とが同一平面を形成しているので、係合凸部２８ｍ、２８ｎ、３０ｍ、３０ｎが框の外側（室内側）に突出することはない。このため、美観に優れた障子２０を形成することが可能である。
【００３３】
上記実施形態においては、縦框２８、３０側に係合凸部２８ｍ、２８ｎ、３０ｍ、３０ｎを備え、横框２４、２６側に係合凹部２４ｈ、２４ｍ、２６ｈ、２６ｍを備えた例について説明したが、縦框２８、３０側に係合凹部を、横框２４、２６側に係合凸部を備えた構成としても良い。
【００３４】
また、上記実施形態においては、係合凸部２８ｍ、２８ｎ、３０ｍ、３０ｎを三角形上の突起としたが、これに限らず係合凸部は例えば矩形状の突起とし、係合凹部も矩形状の切欠部であっても良い。
【００３５】
上記実施形態では、係合凸部２８ｍ、２８ｎ、３０ｍ、３０ｎと係合凹部２４ｈ、２４ｍ、２６ｈ、２６ｍを各框の室内側の側面に設けた例について説明したがこれに限るものではなく、室外側等の側面に設けても良い。
【００３６】
図６は、係合凸部及び係合凹部の変形例を示す斜視図である。以下の説明においては、上記実施形態と同様の部材には同一の符号を付し説明を省略する。
【００３７】
本変形例では、図示するように、ビス３２の螺合による左右の縦框２８、３０と上下の横框２４、２６間の相対回転を規制するための凸部を、左右の縦框２８、３０における上下端部を延出した部位に形成している。上下の横框２４、２６と左右の縦框２８、３０との４カ所の接合部はいずれも同様の構成なので、ここでは、左縦框２８下端側と下框２６の左端側との接合部について説明する。
【００３８】
左縦框２８の左室内側壁部２８ｂ（面一側面）に形成された矩形の左下切欠部２８ｇに下框２６の下室内側壁部２６ｂ（面一側面）が入り込んで、下室内側壁部２６ｂの水平縁部２６ｆと左下切欠部２８ｇの水平縁部２８ｊとが突き合わされ、下室内側壁部２６ｂの鉛直縁部２６ｇと左下切欠部２８ｇの鉛直縁部２８ｋとが突き合わされる。このとき、左室内側壁部２８ｂの下端部は上記実施形態より下方に延出され、延出された部位の鉛直縁部２８ｋから見付け方向（下框２６側）に突出させて凸部としての係合凸部２８ｐが形成されている。係合凸部２８ｐは、水平縁部２８ｊと平行に形成された規制縁部２８ｑを有し、水平縁部２８ｊと規制縁部２８ｑとの間隔は、ほぼ下室内側壁部２６ｂの鉛直方向の長さと一致している。このため、左室内側壁部２８ｂの左下切欠部２８ｇに下框２６の下室内側壁部２６ｂを入り込ませると、下室内側壁部２６ｂが水平縁部２８ｊと規制縁部２８ｑとに挟まれるように係合し、ビス３２を締め込むことにより生じる回転モーメントが効果的に抑制されて框間の相対回転を抑制することが可能である。このような係合凸部２８ｐは、左縦框２８の上端と右縦框３０の上下端部にもそれぞれ設けられている。
【００３９】
尚、上記実施形態ではアルミニウム製の部材で框の形材等を構成したが、これに限らずアルミニウムと樹脂の複合形材等でも構わない。  
また、上記実施形態においては、面材として複層ガラスを備えた建具を例に説明したが、面材は１枚のガラスであっても構わない。  
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４０】
【図１】本実施形態の建具を示す縦断面図である。
【図２】本実施形態の建具を示す横断面図である。
【図３】障子の構成を説明するための図である。
【図４】左縦框と上框との接合部を説明するための図３におけるＡ矢視図である
【図５】図４のＢ矢視図である。
【図６】係合凸部及び係合凹部の変形例を示す斜視図である。
【符号の説明】
【００４１】
１０  建具、１１  枠体、１８  ガラス（面材）、２０  障子、
２４  上框（横框）、２４ｂ  上室内側壁部（面一側面）、２４ｅ  ビス固定部、
２４ｈ  係合凹部、２４ｍ  係合凹部、２６  下框（横框）、
２６ｂ  下室内側壁部（面一側面）、２６ｅ  ビス固定部、２６ｈ  係合凹部、
２６ｍ  係合凹部、２８  左縦框、２８ｂ  左室内側壁部（面一側面）、
２８ｅ  貫通穴、２８ｍ  係合凸部、２８ｎ  係合凸部、２８ｐ  係合凸部、
２８ｑ  規制縁部、３０  右縦框、３０ｂ  右室内側壁部（面一側面）、
３０ｅ  貫通穴、３０ｍ  係合凸部、３０ｎ  係合凸部、３２  ビス
【図１】
0004813223.tif 000002
【図２】
0004813223.tif 000003
【図３】
0004813223.tif 000004
【図４】
0004813223.tif 000005
【図５】
0004813223.tif 000006
【図６】
0004813223.tif 000007